(57)【要約】【課題】通信ネットワークを介して接続されたユーザ端末に、編集位置の前後所定時間の画像を送信することによりその編集位置を確認させ、確認した編集位置を必要に応じてユーザ端末により任意にずらすことにより簡単に編集をやり直す。【解決手段】ビデオレコーダ１０１は、インターネット上の中継サーバに接続され、ユーザ端末（特に携帯電話）から編集作業が行われる。ネットワーク送受信部３１は、ユーザ端末からの要求を受信すると、ダビング候補情報２５に沿って編集位置の前後の所定時間に限定した静止画であるネットワーク送信用編集データ３２を作成し、中継サーバを介してユーザ端末に送信する。このネットワーク送信用編集データ３２は、ビデオレコーダ１０１で録画した番組の編集済みの画面イメージとしてユーザ端末の画面に表示される。ユーザは、画面をスクロールして編集位置をスライドさせて編集をやり直すことができる。【選択図】図１
2010081147.tif 000002
【特許請求の範囲】
【請求項１】
第１の記録媒体に、番組タイトル及び録画日時を含む番組情報と共に記録されている番組コンテンツを、複数のチャプタに分割するとともに分割した各チャプタ毎にそのチャプタを削除するか否かを示す削除情報を付加する処理を少なくとも含む編集処理を行なう番組編集手段と、
複数のチャプタに分割された前記番組コンテンツの前記複数のチャプタ間の境界位置を示す位置情報と前記各チャプタ毎の削除情報とを含む編集情報と前記番組情報と対応付けた編集履歴情報を生成し保存する編集履歴情報生成手段と、
前記番組コンテンツを構成する時系列的に連続する画像のうち、前記編集情報の位置情報が示す位置の前後の所定時間に含まれる複数の画像に基づいて、複数のネットワーク送信用画像を生成するとともに、この複数のネットワーク送信用画像と前記編集情報とを対応付けたネットワーク送信用編集データを生成するネットワーク送信用編集データ生成手段と、
前記ネットワーク送信用編集データをユーザ端末へ送信するとともに、このユーザ端末から、前記ネットワーク送信用編集データに含まれていた編集情報が修正された情報である修正編集情報を受信する送受信手段と、
前記送受信手段により前記修正編集情報を受信したら、前記編集履歴情報生成手段に保存されている前記編集履歴情報の前記編集情報を前記修正編集情報に更新する更新手段と、
を有することを特徴とする記録再生装置。
【請求項２】
放送又は配信される第１の番組コンテンツを受信する受信手段と、
受信した前記第１の番組コンテンツと、この第１の番組コンテンツの番組タイトル、録画日時を含む第１の番組情報とを第１の記録媒体に記録する記録手段と、
前記第１の番組コンテンツの前記番組タイトルと略同一の番組タイトルを有する第２の番組情報を有する編集履歴情報が前記編集履歴情報生成手段に保存されていることを検索するとともに、検索して発見した前記第２の番組情報を有する編集履歴情報に含まれる編集情報が前記更新手段によって修正編集情報に更新されていることを検出する検索手段と、
前記検索手段により、前記第２の番組情報を有する編集履歴情報に含まれる編集情報が更新されていることを検出した場合、この前記第２の番組情報を有する編集履歴情報に基づいて前記第１の番組コンテンツの編集処理を行い、この編集処理によって新たに生成された編集履歴情報を前記第１の番組コンテンツの編集履歴情報として前記編集履歴情報生成手段に保存させる自動番組編集手段と、
を更に有することを特徴とする請求項１記載の記録再生装置。
【請求項３】
前記編集履歴情報生成手段に保存された各編集履歴情報を、略同一の番組タイトルを有する編集履歴情報毎にまとめてダビング候補情報として保存するダビング候補生成手段と、
前記ダビング候補情報に含まれる編集履歴情報に対応する番組コンテンツのいずれか１つ以上が、ダビング対象番組コンテンツとして指定された場合、この１つ以上のダビング対象番組コンテンツを、前記ダビング候補情報に含まれるいずれかひとつの編集履歴情報を用いて前記第１の記録媒体から第２の記録媒体へダビングするダビング管理手段と
を更に有することを特徴とする請求項２記載の記録再生装置。
【請求項４】
前記ダビング対象の番組コンテンツの編集履歴情報中の前記編集位置情報に含まれる削除情報基づいて、非削除対象の各チャプタからなる前記ダビング対象の番組コンテンツの総容量を、前記第２の記録媒体の容量から減算した値が、予め設定した設定値以下となったかどうかを検出する検出手段と、
前記減算した値が前記設定値以下となったときに、ダビングの準備が整ったことを表示部により表示させる表示手段と、
を更に有することを特徴とする請求項３記載の記録再生装置。
【発明の詳細な説明】
【技術分野】
【０００１】
本発明は記録再生装置に係り、特に、録画・蓄積された番組コンテンツ（以下、録画番組とも呼ぶ）の編集を、通信ネットワークを介して接続されているユーザ端末によって行なうことが可能な記録再生装置に関する。
【背景技術】
【０００２】
図１０は、従来の記録再生装置を用いた遠隔操作システムの一例の構成図を示す。この遠隔操作システムは、ユーザ端末１０６を用いて、インターネット１０３を介して記録再生装置であるビデオレコーダ１１１への録画予約設定や録画番組の情報取得要求などの遠隔操作を行うシステムである。
【０００３】
ビデオレコーダ１１１は、ＤＶＤレコーダやハードディスクレコーダのような記録媒体（光ディスクやハードディスク、メモリなど）に番組を録画・蓄積する記録再生装置である。このビデオレコーダ１１１は、インターネット１０３に常時接続されており、ユーザ端末１０６からの要求に応じて録画予約の設定や録画番組の情報送信などを行う。
【０００４】
ユーザ端末１０６は、パーソナルコンピュータ（以下、パソコン）１０４や携帯電話１１５、ＰＤＡ（図示せず）などの端末機器のことである。ユーザは、このようなユーザ端末１０６を用いて、インターネット１０３経由で、ビデオレコーダ１１１に対して録画予約設定や録画番組の情報取得要求などの操作を行うことが可能である。
【０００５】
中継サーバ１０２は、ユーザ端末１０６とビデオレコーダ１１１との間の通信を中継する役割を担っている。通常、ビデオレコーダ１１１とインターネット１０３との間にはルータ（図示せず）が介在する。ビデオレコーダ１１１にはイーサネット（登録商標）内でのみ有効なＩＰ(Internet Protocol)アドレス（プライベートＩＰアドレス）が設定されている。そのため、インターネット１０３側のユーザ端末１０６から、プライベートＩＰアドレスの機器（つまりビデオレコーダ１１１）に直接通信することはできない。それ故に、インターネット１０３上に設置された中継サーバ１０２が必要となる。
【０００６】
通信手順は、まずビデオレコーダ１１１が中継サーバ１０２とＴＣＰ／ＩＰ(Transmission Control Protocol/Internet Protocol)接続を行い、その後ユーザ端末１０６が中継サーバ１０２と接続する。中継サーバ１０２がビデオレコーダ１１１とユーザ端末１０６に接続することにより、ユーザ端末１０６は中継サーバ１０２を介してビデオレコーダ１１１と通信することができるようになる。このような仕組みにより、ユーザ端末１０６からビデオレコーダ１１１の録画予約や録画番組の情報取得などを行うことが可能になる。
【０００７】
ところで、上記システムにおいて、ユーザ端末１０６が、ビデオレコーダ１１１に対して録画予約設定や録画番組の情報取得要求などの操作だけでなく、ビデオレコーダ１１１に録画されている録画番組の編集作業ができるようになれば、ユーザの利便性が更に向上する。なお、録画番組の編集に関する従来技術としては、例えば特許文献１に記載されているものがある。
【０００８】
【特許文献１】特開２００７−２３４１６２号公報
【発明の開示】
【発明が解決しようとする課題】
【０００９】
しかしながら、従来のビデオレコーダ１１１では、ユーザ端末１０６を用いて録画番組の編集操作を実現しようとした場合、録画されている編集前のすべての録画番組の動画データを、インターネット１０３上に設置された中継サーバ１０２を経由してユーザ端末１０６に送信する必要がある。このため、送信データが膨大になり、中継サーバ１０２に大きな負荷が掛かってしまうという課題があった。  更に、ユーザ端末１０６を携帯電話１０５に限定した場合、現在の携帯電話の通信帯域や、携帯電話に搭載するメモリ容量の制限により、ビデオレコーダ１１１の録画番組の動画データをすべて携帯電話１０５に送信することは難しいという課題もあった。
【００１０】
このように、従来のビデオレコーダ１１１では、録画番組をインターネット１０３上に設置された中継サーバ１０２を介して接続されたユーザ端末１０６で編集することは、容易に実現できるものではない。
【００１１】
本発明は以上の点に鑑みなされたもので、録画番組の編集を、通信ネットワークを介して接続されたユーザ端末を用いて、中継サーバに大きな負荷をかけることなく行なうことができる記録再生装置を提供することを目的とする。
【課題を解決するための手段】
【００１２】
上記の目的を達成するため、本発明の記録再生装置は、第１の記録媒体に、番組タイトル及び録画日時を含む番組情報と共に記録されている番組コンテンツを、複数のチャプタに分割するとともに分割した各チャプタ毎にそのチャプタを削除するか否かを示す削除情報を付加する処理を少なくとも含む編集処理を行なう番組編集手段と、複数のチャプタに分割された番組コンテンツの複数のチャプタ間の境界位置を示す位置情報と各チャプタ毎の削除情報とを含む編集情報と番組情報と対応付けた編集履歴情報を生成し保存する編集履歴情報生成手段と、番組コンテンツを構成する時系列的に連続する画像のうち、編集情報の位置情報が示す位置の前後の所定時間に含まれる複数の画像に基づいて、複数のネットワーク送信用画像を生成するとともに、この複数のネットワーク送信用画像と編集情報とを対応付けたネットワーク送信用編集データを生成するネットワーク送信用編集データ生成手段と、ネットワーク送信用編集データをユーザ端末へ送信するとともに、このユーザ端末から、ネットワーク送信用編集データに含まれていた編集情報が修正された情報である修正編集情報を受信する送受信手段と、送受信手段により修正編集情報を受信したら、編集履歴情報生成手段に保存されている編集履歴情報の編集情報を修正編集情報に更新する更新手段と、を有することを特徴とする。
【００１３】
また、本発明の記録再生装置は、放送又は配信される第１の番組コンテンツを受信する受信手段と、受信した第１の番組コンテンツと、この第１の番組コンテンツの番組タイトル、録画日時を含む第１の番組情報とを第１の記録媒体に記録する記録手段と、第１の番組コンテンツの番組タイトルと略同一の番組タイトルを有する第２の番組情報を有する編集履歴情報が編集履歴情報生成手段に保存されていることを検索するとともに、検索して発見した第２の番組情報を有する編集履歴情報に含まれる編集情報が更新手段によって修正編集情報に更新されていることを検出する検索手段と、検索手段により、第２の番組情報を有する編集履歴情報に含まれる編集情報が更新されていることを検出した場合、この第２の番組情報を有する編集履歴情報に基づいて第１の番組コンテンツの編集処理を行い、この編集処理によって新たに生成された編集履歴情報を第１の番組コンテンツの編集履歴情報として編集履歴情報生成手段に保存させる自動番組編集手段と、を更に有することを特徴とする。
【００１４】
また、本発明の記録再生装置は、編集履歴情報生成手段に保存された各編集履歴情報を、略同一の番組タイトルを有する編集履歴情報毎にまとめてダビング候補情報として保存するダビング候補生成手段と、ダビング候補情報に含まれる編集履歴情報に対応する番組コンテンツのいずれか１つ以上が、ダビング対象番組コンテンツとして指定された場合、この１つ以上のダビング対象番組コンテンツを、ダビング候補情報に含まれるいずれかひとつの編集履歴情報を用いて第１の記録媒体から第２の記録媒体へダビングするダビング管理手段とを更に有することを特徴とする。
【００１５】
更に、本発明の記録再生装置は、ダビング対象の番組コンテンツの編集履歴情報中の編集位置情報に含まれる削除情報基づいて、非削除対象の各チャプタからなるダビング対象の番組コンテンツの総容量を、第２の記録媒体の容量から減算した値が、予め設定した設定値以下となったかどうかを検出する検出手段と、減算した値が設定値以下となったときに、ダビングの準備が整ったことを表示部により表示させる表示手段と、を更に有することを特徴とする。
【発明の効果】
【００１６】
本発明によれば、録画番組の編集を、通信ネットワークを介して接続されたユーザ端末を用いて、中継サーバに大きな負荷をかけることなく行うことができる。
【００１７】
また、ユーザ端末を用いて編集した録画番組が連続放送番組であった場合、次回以降に録画した連続放送番組の編集を自動で行なうことができる。
【００１８】
更に、編集した複数の連続放送番組をまとめて、自動で他の記録媒体にコピーすることができる。
【発明を実施するための最良の形態】
【００１９】
次に、本発明の実施の形態について図面を参照して詳細に説明する。
［全体構成]
図１は、本発明になる記録再生装置の一実施の形態のブロック図を示す。また、図９は、本発明になる記録再生装置を用いた遠隔操作システムの一例の構成図を示す。なお、この図９の遠隔操作システムは、図１０に示す遠隔操作システムおける従来の記録再生装置であるビデオレコーダ１１１を、本実施の形態の記録再生装置であるビデオレコーダ１０１に置き換えただけものであり、他の構成は同一であるので、詳細説明は省略する。
【００２０】
まず、ビデオレコーダ１０１の各ブロックの役割を説明する。
【００２１】
デジタルチューナ部１は、地上波デジタル放送信号や、放送衛星（ＢＳ:Broadcasting Satellite）／通信衛星（ＣＳ:Communication Satellite）を中継局とする衛星デジタル放送信号を受信及び復調してＭＰＥＧ２−ＴＳ(Moving Picture Experts Group 2-Transport Stream)を生成し、これを番組コンテンツとしてストリームスイッチ部２へ出力する。
【００２２】
ストリームスイッチ部２は、録画時と再生時とで信号を切り換えるスイッチである。録画時は、デジタルチューナ部１から入力された番組コンテンツを、ストリーム記録処理部３へ出力するとともにデマルチプレクサ部７へ出力する。一方、再生時は、ストリーム再生部６から入力された番組コンテンツをデマルチプレクサ部７へ出力する。
【００２３】
ストリーム記録処理部３は、ストリームスイッチ部２から入力された番組コンテンツを記録媒体（ここではハードディスクとする）４に番組コンテンツ５として記録する。なお、番組コンテンツ５は、記録媒体４に記録されている１つ以上の番組コンテンツの総称であるが、これ以降の説明においては１つの番組コンテンツを指すこととする。
【００２４】
ストリーム再生処理部６は、記録媒体４から番組コンテンツ５を読み出し、これをストリームスイッチ部２へ出力する。また、ストリーム再生処理部６は、記録媒体１７から編集後の番組コンテンツを読み出し、これをストリームスイッチ部２へ出力する。
【００２５】
デマルチプレクサ部７は、ストリームスイッチ部２から入力された番組コンテンツを圧縮符号化された放送番組の画像データ及び音声データに分離し、ＭＰＥＧ２デコード部８に供給する。ＭＰＥＧ２デコード部８は、圧縮符号化された放送番組の画像データ及び音声データをそれぞれ復調処理し、この復調処理で得た画像データ及び音声データを、ＨＤＭＩ（High Definition Multimedia Interface）等のデジタルインターフェースを用いてデジタル信号のまま、またはＤ／Ａ変換してアナログ信号とした後に、テレビモニタ９へ出力する。
【００２６】
ユーザ番組編集部１０は、ユーザによる編集時の操作に基づいて、記録媒体４から番組コンテンツ５を読み出すと共に、編集画面の生成をＧＵＩ表示部１１に指示する。また、ユーザ番組編集部１０は、ユーザが編集画面を見ながら行う操作によって、後述するように編集画面に表示される番組コンテンツをチャプタに分割して不要チャプタを削除する。ＧＵＩ表示部１１は、編集画面を生成しテレビモニタ９へ出力する。ユーザはテレビモニタ９に表示された編集画面を見ながら、リモコン２２を操作し編集作業を行う。操作部１３はリモコン２２からの操作情報１２をＧＵＩ表示部１１に供給し、テレビモニタ９に表示されている編集画面を更新する。
【００２７】
図２は、上記した番組編集時の様子と編集履歴情報の内容の一例を示す。記録媒体４に記録された番組コンテンツ５の番組内容２０１は、図２（Ａ）に模式的に示すように、ＣＭやオープニング、本編１、本編２、エンディング、予告などのコンテンツ内容に分類される。そして、ユーザは、テレビモニタ９に表示されている編集画面を見ながら、リモコン２２を操作して、これらのコンテンツ内容の境界に図２（Ｂ）に示すようなマークを設定する。この操作により、同図（Ｃ）に示すように、番組コンテンツ５を各コンテンツ内容毎のチャプタに分割することが可能となる。同図（Ｃ）では、左から順にチャプタ１、チャプタ２、・・・、チャプタ１０とチャプタ番号が付加されている。更に、ユーザは、上記のように分割したチャプタのうちＣＭ部分のみを同図（Ｄ）に示すように削除することが可能である。なお、これらの操作に対応する編集処理は、図１のユーザ番組編集部１０と番組履歴情報生成部１５とが行なう。また、ＣＭ部分と番組部分との間のチャプタ分割（マークの設定）は、ユーザ番組編集部１０が、従来より数多くの技術提案がなされているＣＭ検出手法を用いて自動で行なっても良い。
【００２８】
なお、上記説明においてのチャプタの削除とは、そのチャプタの番組コンテンツの実体そのものを削除するのではなく、その削除対象のチャプタに削除を示すフラグを付加する処理である。従って、マークの位置を変更することで、削除したチャプタの一部を復活させることが可能である。
【００２９】
番組コンテンツ５が編集されると、図１の編集履歴情報生成部１４は、編集した履歴情報（以下、編集履歴情報）１５を記録媒体４、或いは図示しない不揮発性メモリ等に保存する。編集履歴情報１５は、図２（Ｅ）に示すように、放送番組の番組タイトルと、録画日時（録画開始時間／終了時間／曜日）と、その番組が単発で予約録画されたものか、それとも毎日／毎週予約などの定期的に予約して録画されたものかを判別する情報（以下、録画方法）と、分割したチャプタの開始位置／終了位置（境界位置）を示す位置情報及び各チャプタが削除されたか否かを示すフラグ（削除情報）を含む編集位置情報（編集情報）とで構成される。この編集位置情報は、上記のマークの設定位置情報である。図２（Ｆ）に示すように、この編集履歴情報１５が番組毎に管理され保存される。
【００３０】
図１に戻って説明する。ダビング管理部１６は、ダビング時にユーザの指示により記録媒体４に記録された番組コンテンツ５を読み出し、記録媒体（ここではＢＤやＤＶＤなどの光ディスクとする）１７へダビング記録する。ダビング候補生成部２０は、編集履歴情報１５を同名の番組タイトルで一つにまとめて、ダビング候補情報２５として記録媒体４、或いは図示しない不揮発性メモリ等に保存する。この結果、番組タイトル毎にダビング候補情報ができ、これを一括してまとめたものをダビング候補リストと呼ぶ。なお、このダビング記録の際は、上記で削除を示すフラグが付加されているチャプタの番組コンテンツはダビング記録しないことは言うまでもない。
【００３１】
編集履歴検索部２３は、新たに番組が記録媒体４に録画された場合に、その録画した番組コンテンツの録画番組情報を基に、過去に編集されて蓄積された編集履歴情報１５の中から、録画した番組の番組タイトルや、録画した曜日、時間、録画方法などが一致する連続放送番組の編集履歴情報１５を検索する。
【００３２】
自動番組編集部２４は、編集履歴検索部２３による検索で見つかった連続放送番組の編集履歴情報１５に格納された編集位置情報を基に、新たに録画された番組コンテンツの編集を自動的に（ユーザ操作に関係なく）行う。またこの時、自動番組編集部２４は、新たに録画された番組コンテンツの編集履歴情報１５を生成する。
【００３３】
ダビング候補通知部２６は、ダビング候補リストのダビング候補情報２５を参照し、ダビング先の記録媒体１７に収録できる総容量の番組コンテンツが揃った時点で、ダビング候補情報２５をテレビモニタ９の画面に表示して、ユーザにダビングの準備が整ったことを知らせる。
【００３４】
ネットワーク送信用編集データ生成部３０は、編集履歴情報１５に保存された編集位置情報を基に、ネットワーク送信用編集データ３２を生成する。
【００３５】
ネットワーク送受信部３１は、携帯電話１０５等のユーザ端末１０６からの要求を受信すると、ネットワーク送信用編集データ生成部３０が生成したネットワーク送信用編集データ３２（後述する図３の１１０６）を中継サーバ（図９の１０２）に送信する。
［ユーザ端末での番組編集方法］
＜ネットワーク送信用編集データの生成方法＞
次に、図９の遠隔操作システムにおいて、ビデオレコーダ１０１がユーザ端末１０６に対して番組編集を行なわせる方法について説明する。
【００３６】
まず、編集履歴情報生成部１４が生成した編集履歴情報１５に基づいてネットワーク送信用編集データ生成部３０が生成するネットワーク送信用編集データ３２について説明する。
【００３７】
図３は、ネットワーク送信用編集データ３２を生成する様子の一例を示したものである。図３（Ａ）〜（Ｄ）は、図２（Ａ）〜（Ｄ）と同一の情報を示しているので、その説明は省略する。図３（Ｅ）は、ネットワーク送信用編集データ３２を模式的に示す。このネットワーク送信用編集データ３２は、番組履歴情報１５から読み出される図３（Ａ）の番組コンテンツに対応する番組履歴情報の編集位置情報（図３（Ｂ）のマークに対応）と、このマークの直前の数秒間のデータ１１０４と、各マークの直後の数秒間のデータ１１０５とからなる。
【００３８】
上記のデータ１１０４及び１１０５は、図３（Ｆ）に模式的に示すように、編集位置（マーク）を中心に、前後数十秒間（数分間でも構わない）のデータを対象に、数十フレーム毎に、または数秒毎に切り出した、静止画１１０６である。なお、生成する画像は、静止画だけでなく短い時間の動画でも構わない。また、切り出した静止画１１０６や動画の画素サイズ（解像度）は、ユーザ端末１０６の表示部の解像度に合わせて適宜間引いて生成しても良い。
【００３９】
このようにして、ネットワーク送信用編集データ生成部３０は、マーク直前の数秒間（または数分間）の静止画データ１１０４とマーク直後の数秒間（または数分間）の静止画データ１１０５とを生成し、これらのデータとマーク（編集位置情報）とを、ネットワーク送信用編集データ３２（１１０６）として出力する。
【００４０】
＜編集データのネットワーク通信方法＞
次に、本実施の形態のビデオレコーダ１０１と、図９の中継サーバ１０２と、ユーザ端末１０６との通信方法について図４及び図５を併せ参照して説明する。図４は、ビデオレコーダ１０１と、中継サーバ１０２と、ユーザ端末１０６との間で行う通信手順を示すシーケンス図である。図５は、ユーザ端末１０６である携帯電話１０５の表示画面の各例を示す。
【００４１】
まず、ビデオレコーダ１０１は、ＨＴＴＰ(Hypertext Transfer Protocol)により接続要求を中継サーバ１０２に送信する（ステップＳ１１）。中継サーバ１０２は、ビデオレコーダ１０１が正規のレコーダかどうかを確認し（ステップＳ１２）、接続を許可する場合は接続許可レスポンスをビデオレコーダ１０１に送信する（ステップＳ１３）。接続許可レスポンスを受信したビデオレコーダ１０１は受信待ち状態となり、接続状態を維持する（ステップＳ１４）。その後、中継サーバ１０２は、接続を維持するために定期的にＨＴＴＰリクエストをビデオレコーダ１０１に送信する（ステップＳ１５）。ビデオレコーダ１０１は、そのリクエストを受信する（ステップＳ１６）。
【００４２】
次に、ユーザ端末１０６は、ユーザ操作等によって、中継サーバ１０２のＵＲＬ(Uniform Resource Locator)を取得し（ステップＳ１７）、アクセス要求を送信する（ステップＳ１８）。このアクセス要求を受信した中継サーバ１０２は、ログイン画面のＨＴＭＬファイルを生成してユーザ端末１０６に送信する（ステップＳ１９）。
【００４３】
これにより、ユーザ端末１０６には、図５（Ａ）に示すようなユーザＩＤとパスワードの入力を促すログイン画面が表示される（ステップＳ２０）。このログイン画面に従い、ユーザがユーザＩＤとパスワードを入力すると、ユーザ端末１０６はユーザＩＤとパスワードと共にログイン要求を中継サーバ１０２へ送信する（ステップＳ２１）。
【００４４】
中継サーバ１０２は、このリクエストを受信し、ユーザＩＤとパスワードから正規のユーザかどうかユーザ認証を行う（ステップＳ２２）。ユーザ認証が成功すると続いて、中継サーバ１０２は、ユーザのビデオレコーダ１０１が中継サーバ１０２に接続されているかどうかを確認し、接続していれば、操作メニュー画面のＨＴＭＬファイルを生成してユーザ端末１０６へ送信する（ステップＳ２３）。
【００４５】
これにより、ユーザ端末１０６には、操作メニュー画面が表示される（ステップＳ２４）。この操作メニュー画面は、例えば図５（Ｂ）に示すように、「予約設定」、「予約一覧」、「予約重複検索」、「録画コンテンツ一覧」、「ダビング候補リスト」、「ログアウト」の各ボタンが表示された画面である。ここで「ダビング候補リスト」のボタン５０２をユーザが押すと、ユーザ端末１０６はダビング候補リストを要求するＨＴＴＰリクエスト（以下、ダビング候補リスト要求）を中継サーバ１０２に送信する（ステップＳ２５）。
【００４６】
中継サーバ１０２は、上記のダビング候補リスト要求を受信すると、これをビデオレコーダ１０１へ転送する（ステップＳ２６）。ビデオレコーダ１０１は、ダビング候補リスト要求を受信すると、ダビング候補生成部２０で作成したダビング候補リスト（図７の３０８）をＨＴＭＬファイルに変換して中継サーバ１０２に応答送信する（ステップＳ２７）。
【００４７】
中継サーバ１０２は、上記のダビング侯補リストのＨＴＭＬファイルを受信すると、それをユーザ端末１０６へ転送する（ステップＳ２８）。ユーザ端末１０６は、上記のダビング候補リストのＨＴＭＬファイルを受信すると、ダビング候補リストを表示する（ステップＳ２９）。このダビング候補リストは、例えば、図５（Ｃ）に５０３で示すように、番組Ａの第１話から第４話までの第１のダビング候補、番組Ａの第５話から第８話までの第２のダビング候補、番組Ｂの第１話と第２話からなる第３のダビング候補、番組Ｃの第２話から第４話までの第４のダビング候補とが一覧表示されたリストである。
【００４８】
このような通信手順により、ビデオレコーダ１０１で作成したダビング候補リストが、ユーザ端末１０６に表示される。
【００４９】
＜ユーザ端末での編集操作＞
次に、ユーザ端末の一例である携帯電話１０５での編集操作について説明する。
【００５０】
携帯電話１０５の表示部にはダビング候補リスト表示されている。このダビング候補リストに含まれているダビング候補は、例えば図５（Ｃ）に示す自動編集が行われダビング候補となった４つのダビング候補５０３であるものとする。このダビング候補５０３の中から、例えば図５（Ｃ）に実線の枠で示す番組Ａの第１話から第４話までの第１のダビング候補を選択すると、上記で説明した編集データのネットワーク通信方法と同様の通信手順により、携帯電話１０５の表示部に図５（Ｄ）に示すような番組Ａのタイトル一覧が表示される。
【００５１】
この番組Ａのタイトル一覧の画面で第２話のタイトル５０５を選択すると、上記で説明した編集データのネットワーク通信方法と同様の通信手順により、ビデオレコーダ１０１から番組Ａの第２話のデータに関するネットワーク送信用編集データ３２（図３の１１０６）が携帯電話１０５に送信され、図６（Ａ）に示すような番組Ａの第２話の編集済みの画面イメージが表示される。なお、図６（Ａ）以降の画面イメージは、携帯電話１０５の表示部を横向きにして表示したものである。
【００５２】
図６（Ａ）に示す番組Ａの第２話の編集済みの画面イメージでは、マーク５１０を中心に前後数十秒間（又は数分間）のデータを対象に、数十フレーム毎に、または数秒毎に切り出した静止画が表示されている。ただし、マーク５１０直前の静止画は黒く塗りつぶされており、これは削除されたチャプタを示している。従って、携帯電話１０５のユーザは、この画面イメージからＣＭが削除されていることが分かる。一方、マーク５１０直後の静止画は、本編１のチャプタで表示されている。これにより、ユーザは、ＣＭが正しく削除されていることを確認できる。
【００５３】
この静止画表示は、携帯電話１０５の十字ボタンの”左右”キーを押すことで左右にスクロールすることができる。これにより、ユーザは次のマークに移動して編集位置周辺の状況を確認することができる。
【００５４】
図６（Ｂ）は、マーク５１０の次のマーク５１１に移動したときの番組Ａの第２話の編集済みの画面イメージを示す。図６（Ｂ）に示す画面イメージでは、マーク５１１の直前の静止画５１２が本編２になっているにも拘らず、黒く塗りつぶされている。このため、ユーザはＣＭのみの削除に失敗していることが分かる。
【００５５】
この場合は、ユーザが携帯電話１０５の十字ボタンの”上”キーを押すと、図６（Ｃ）に示すように、マーク５１１はフォーカスが当たった状態のマーク５１３となり、マーク自体を左右に動かすことができる。そして、ユーザが携帯電話１０５の十字ボタンの”左右”キーを操作して左方向に画面をスクロールしてフォーカスが当たった状態のマーク５１３を図６（Ｃ）に示すようにＣＭと本編２の切り替わる箇所に当てて、携帯電話１０５の十字ボタンの”上”キーをもう一度押す。すると、マーク５１１がそのＣＭと本編２の切り替わる箇所の位置に固定される。このようにして、ユーザは編集位置を修正することができる。修正された編集位置情報（修正済み編集位置情報）は、中継サーバ１０２経由でビデオレコーダ１０１に送信される。そして、送信された修正済み編集位置情報は、ネットワーク送受信部３１を介して編集履歴情報生成部１４に供給される。編集履歴情報生成部１４は、供給された修正済み編集位置情報を、ネットワーク送信用編集データ生成の際に読み出した、図３（Ａ）の番組コンテンツに対応する番組履歴情報の編集位置情報部分に書き戻す。
【００５６】
なお、上記説明では、ＣＭ部分を削除する場合の例を示したが、編集位置の修正は、この例に限らず各チャプタの境界であればどの位置においても行なうことが可能である。
【００５７】
このようにして、ユーザは、携帯電話１０５やＰＤＡ、パソコン１０４などのユーザ端末１０６を用いて、ビデオレコーダ１０１で録画した番組の編集結果を外出先等から閲覧し、その閲覧結果に基づいて、直接ビデオレコーダ１０１に接続して編集を行っている感覚で編集修正作業を行うことができる。
【００５８】
また、本実施の形態によれば、ビデオレコーダ１０１は編集位置の前後の所定時間に限定した静止画であるネットワーク送信用編集データ３２（図３の１１０６）のみをユーザ端末１０６へ送信するため、送信するデータ量を大幅に削減することができる。
［ダビング方法］
次に、ダビング候補情報２５の生成手順を図７及び図８を併せ参照して説明する。図７は、上記において説明した方法で生成した編集履歴情報を用いてダビング候補リストを作成する手順を示した図である。図８は、ダビング候補情報の生成手順を示したフローチャートである。
【００５９】
まず、ダビング管理部１６は、記録媒体４への番組の録画が終了したかどうかを確認する（ステップＳ１）。続いて、ダビング管理部１６は、番組の録画が終了したことを確認すると、記録媒体４への録画が終了した番組（仮に、これを番組Ａ（第２話）とする）の番組コンテンツ５から録画番組情報を抽出する（ステップＳ２）。この番組Ａ（第２話）の録画番組情報は、図７に３０１で示すように、番組タイトルと、録画日時（録画開始時刻／終了時刻／曜日）と、単発／毎日予約／毎週予約などの録画方法とで構成される（これらの情報はＥＰＧ情報や予約情報から生成されたものである。）。
【００６０】
続いて、編集履歴検索部２３は、録画した番組Ａ（第２話）の録画番組情報３０１を基に、過去に編集されて記録媒体４に蓄積された編集履歴情報１５（図７の３０２）の中から、録画した番組Ａ（第２話）と同じ録画番組情報を持つ編集履歴情報を検索する（ステップＳ３）。続いて、編集履歴検索部２３は、目的の編集履歴情報が見付かったかどうかを判定する（ステップＳ４）。編集履歴検索部２３により目的の編集履歴情報が見付からなかった場合はステップＳ１に戻る。編集履歴検索部２３により目的の編集履歴情報が見付かった場合は、自動番組編集部２４は、その目的の編集履歴情報に登録された編集位置情報に従って、録画した番組Ａ（第２話）の編集（自動番組編集）を行う（ステップＳ５）。
【００６１】
ここで、ステップＳ３において番組Ａ（第１話）を編集した時に生成された、番組Ａ（第２話）と同じ録画番組情報を持つ編集履歴情報（図７に３０３で示す）が見付かったものとする。この編集履歴情報３０３には、図７に示すように、番組Ａ（第２話）と同一の番組タイトル、録画日時、録画方法、そして編集位置情報が保存されている。自動番組編集部２４は、ステップＳ５において、目的の編集履歴情報３０３中の番組Ａ（第１話）の編集位置情報に従って、録画した番組Ａ（第２話）の編集を行う。この編集は、毎週放送の番組のＣＭなどの不要部分は、ほぼ同じ時間帯に流れるという想定に基づくものである。この編集の結果、編集履歴情報生成部１４は、図７に示すように録画した番組Ａ（第２話）の編集履歴情報３０４を生成する（ステップＳ６）。
【００６２】
なお、目的の編集履歴情報３０３中の番組Ａ（第１話）の編集位置情報は、上記した［ユーザ端末での番組編集方法］によって編集されたものを用いると、より精度の高い自動番組編集を実現することができる。この［ユーザ端末での番組編集方法］によって編集（更新）されたか否かを検出する処理は編集履歴検索部２３で行なう。
【００６３】
また、上記説明では、録画番組情報である番組タイトル、録画日時、録画方法の全てが一致した場合に番組Ａ（第２話）の編集履歴情報３０４を生成する例を示したが、例えばこれらのうちの番組タイトルのみ一致した場合に編集履歴情報３０４を生成する構成でもかまわない。なお、番組タイトルの一致の判断は、文字列の完全一致ではなく「番組Ａ（第２話）」の内の「（第２話）」の部分を除いた部分の一致（略一致）で判断することは言うまでもない。この文字列の略一致の判断手法は、従来より多数存在するどのような手法を用いても良い。
【００６４】
続いて、ダビング管理部１６は、ダビング先の記録媒体１７の記録容量（ここではディスク容量）を確認する（ステップＳ７）。このステップＳ７は、ダビング先の記録媒体１７の記録容量から編集後の削除を示すフラグが付加されていないチャプタのみで構成される番組Ａの第１話と第２話の合計容量を引いた値が、一話分以上の容量が残っているかどうかを判定する処理である。一話分以上の容量が残っていることを確認した場合は、次の番組を編集するためステップＳ１に戻る。なお、ここでの「一話分」とは、同じ番組タイトルの番組Ａの次の第３話の録画に必要なディスク容量を意味する。
【００６５】
このように、一話分以上の容量が残っている場合は、ステップＳ１〜ステップＳ７の処理を繰り返し、同様の手順で編集履歴情報３０３中の番組Ａ（第１話）の編集位置情報に従って、その後に録画した番組Ａ（第３話、第４話）の編集を行い、図７に示すように番組Ａ（第３話、第４話）の編集履歴情報３０５、３０６を生成する。
【００６６】
そして、ダビング管理部１６がステップＳ７において、ダビング先の記録媒体１７のディスク容量を確認できない場合（ここでは、ダビング先の記録媒体１７のディスク容量から編集後の番組Ａの第１話〜第４話の合計容量を引いた値が、一話分以上の容量を示していないと判定した場合）は、その判定結果に基づきダビング候補生成部２０が、編集後の番組Ａの第１話〜第４話の編集履歴情報をまとめてダビング候補情報３０７を生成する（ステップＳ８）。このステップＳ８で生成されたダビング候補情報は、図７に３０７で示すように、編集済みの番組数と番組タイトルと番組数分の編集履歴情報とからなる。そして、ダビング候補生成部２０は、このように生成されたダビング候補情報３０７を集めて、図７に示すようにダビング候補リスト３０８に登録する（ステップＳ９）。
【００６７】
その後、ダビング候補通知部２６は、ダビング候補リストを参照し、ダビング先の記録媒体１７に収録できる総容量の番組コンテンツが揃った時点で、ダビング候補リスト３０８のダビング候補情報２５を、ＧＵＩ表示部１１を介してテレビモニタ９の画面に表示して、ユーザにダビングの準備が整ったことを知らせる。
【００６８】
このダビングの準備完了をテレビモニタ９の画面を見て知ったユーザが、リモコン２２によりダビング開始操作を行うと、ダビング指示を示す操作情報１２が操作部１３を介してダビング管理部１６に入力される。これにより、ダビング管理部１６は、記録媒体４からダビング候補情報２５に対応した番組コンテンツ５を読み出し、その番組コンテンツ５をダビング候補情報２５中の各編集位置情報を用いて不要部分を除去した後、除去後の番組コンテンツを記録媒体１７にダビング記録する。
【００６９】
なお、本実施の形態において、ダビング候補リスト３０８のダビング候補情報２５をテレビモニタ９の画面に表示して、ユーザにダビングの準備が整ったことを知らせ、その後にユーザからのダビング指示入力があってからダビングを開始するようにしている理由は、ユーザの意思を尊重するためと、記録媒体１７への無駄な録画を排除するためである。例えば、番組Ａの第１話〜第４話をダビングしても、その内容が面白くなかった場合は、同じ番組Ａの第５話以降をダビングしなくてもよいようにするためである。また、記録媒体１７が１回のみ録画可能な光ディスク（ＢＤ−ＲやＤＶＤ−Ｒ等）の場合は、できるだけ録画が必要な情報のみを録画したいからである。更には、ユーザに次のダビングを行うために新規な記録媒体１７の交換を促すためもある。
【００７０】
以上説明してきたとおり、本実施の形態によれば以下のような効果を得ることができる。
【００７１】
（１）ユーザ端末１０６として通信帯域や搭載メモリ容量などが制限された携帯電話１０５を使用した環境でも、携帯電話１０５からビデオレコーダ１０１の編集作業を行うことが可能である。
【００７２】
（２）編集後のデータをビデオレコーダ１０１からユーザ端末１０６へ転送する時に、中継サーバ１０２にかかる負荷を軽減させることができる。
【００７３】
（３）ユーザ端末１０６での編集作業が、画面をスクロールすることで編集位置（マーク）をスライドさせる、という簡単な方法で編集をやり直すことができる。
【００７４】
（４）ユーザ端末を用いて編集した録画番組が連続放送番組であった場合、次回以降に録画した連続放送番組の編集を自動で行なわせることができる。
【００７５】
（５）更に、編集した複数の連続放送番組をまとめて、自動で他の記録媒体にコピーすることができる。
【００７６】
なお、本発明は、上記の実施の形態に限定されるものではなく、例えば，ダビング先の媒体１７は、光ディスクに限定されるものではなく、着脱式のハードディスクやＳＤメモリカードなどの記録メディアを使用してもよい。また、圧縮符号化方式は、ＭＰＥＧ２に限定されるものではなく、他のどのような圧縮技術を使用しても構わない。
【００７７】
また、本発明は、放送波によって放送される番組コンテンツだけではなく、例えば通信回線を介して配信される番組コンテンツに対しても適用可能である。
【００７８】
更に、上記の実施の形態では、ビデオレコーダと通信する相手を携帯電話やＰＤＡなどのユーザ端末としたが、別のビデオレコーダでも構わない。ビデオレコーダ間での編集データのやり取りを通信ネットワークを介して行う場合でも、本発明を適用することができる。
【図面の簡単な説明】
【００７９】
【図１】本発明の記録再生装置の実施の形態のブロック図である。
【図２】図１に示す記録再生装置における番組編集時の様子と編集履歴情報の内容の一例の説明図である。
【図３】図１に示す記録再生装置における番組編集時の様子とネットワーク送信用編集データを生成する様子の一例の説明図である。
【図４】図１に示す記録再生装置における通信手順を示すシーケンス図である。
【図５】図１に示す記録再生装置に対して編集作業を行う携帯電話でのダビング候補リストの表示イメージを示す図である。
【図６】図１に示す記録再生装置に対して編集作業を行う携帯電話での編集結果の表
【図７】図１に示す記録再生装置における編集履歴情報から自動編集しダビング候補リストを生成する手順を示した図である。
【図８】図１に示す記録再生装置におけるダビング候補情報の生成手順説明用フローチャートである。示イメージを示す図である。
【図９】本発明の記録再生装置を用いた遠隔操作システムの一例の構成図である。
【図１０】従来の記録再生装置を用いた遠隔操作システムの一例の構成図である。
【符号の説明】
【００８０】
４  記録媒体
５  番組コンテンツ
１０  ユーザ番組編集部
１１  ＧＵＩ表示部
１２  操作情報
１３  操作部
１４  編集履歴情報生成部
１５  編集履歴情報
１６  ダビング管理部
２０  ダビング候補生成部
２３  編集履歴検索部
２４  自動番組編集部
２５  ダビング候補情報
２６  ダビング候補通知部
３０  ネットワーク送信用編集データ生成部
３１  ネットワーク送受信部
３２、１１０６  ネットワーク送信用編集データ
１０１  本発明の実施の形態のビデオレコーダ
１０２  中継サーバ
１０３  インターネット
１０４  本発明の実施の形態のパソコン
１０５  本発明の実施の形態の携帯電話、
１０６  本発明の実施の形態のユーザ端末
１１１  従来のビデオレコーダ
３０１  番組Ａ（第２話）録画番組コンテンツ
３０２  編集履歴情報を集めたもの
３０３  番組Ａ（第１話）編集履歴情報
３０４  番組Ａ（第２話）編集履歴情報
３０５  番組Ａ（第３話）編集履歴情報
３０６  番組Ａ（第４話）編集履歴情報
３０７  番組Ａ（１〜４話）ダビング候補情報
３０８  ダビング候補リスト
【図１】
2010081147.tif 000003
【図２】
2010081147.tif 000004
【図３】
2010081147.tif 000005
【図４】
2010081147.tif 000006
【図５】
2010081147.tif 000007
【図６】
2010081147.tif 000008
【図７】
2010081147.tif 000009
【図８】
2010081147.tif 000010
【図９】
2010081147.tif 000011
【図１０】
2010081147.tif 000012